(57)【要約】【課題】溶液のコンタミネーションを招くことの無いフラスコを提供する。【解決手段】フラスコ本体１０と該フラスコ本体１０の開口１３を封止可能なフラスコ用キャップ２０から構成されたフラスコであって、前記フラスコ用キャップ２０は、前記フラスコ本体１０の開口１３の外周面１３ａに密接可能な内周面２１ａを有することを特徴とする。【選択図】図１
0003118961.tif 000002
【実用新案登録請求の範囲】
【請求項１】
フラスコ本体と該フラスコ本体の開口を封止可能なフラスコ用キャップから構成されたフラスコであって、
前記フラスコ用キャップは、前記フラスコ本体の開口の外周面に密接可能な内周面を有することを特徴とするフラスコ。
【請求項２】
前記フラスコ本体の開口の外周面は、上方に向かって先細りとなるテーパ状に形成されており、前記フラスコ用キャップの内周面は、前記フラスコ本体の開口の外周面に対向するテーパ状に形成されていることを特徴とする請求項１記載のフラスコ。
【請求項３】
前記フラスコ用キャップの前記開口の末端は、外周の全周に亘って径方向に突出するフランジ状に形成されていることを特徴とする請求項１又は２記載のフラスコ。
【請求項４】
前記フラスコ本体は、メスフラスコ型であることを特徴とする請求項１乃至３のいずれか１項記載のフラスコ。
【考案の詳細な説明】
【技術分野】
【０００１】
本考案は、化学実験や、容積測定などに使用されるフラスコに関する。
【背景技術】
【０００２】
一般に、フラスコは、主に、フラスコ本体とそのフラスコ本体の開口を封止可能なフラスコ用栓により構成されており、フラスコ用栓の外周面は、開口の内周面に密接するように形成されている。したがって、フラスコ封止時の密閉度は高く、フラスコ内に溶液を入れて、フラスコ用栓を封止すれば、過度の衝撃を加える以外においては、フラスコ内からその溶液が外部に流出することはない。このような形状を有するフラスコは、容積を測ると共に、フラスコを封止して、フラスコを振り、溶液の混合や固体試料の溶解を行う等の用途に使用される。
【考案の開示】
【考案が解決しようとする課題】
【０００３】
しかしながら、フラスコの開口付近には、粉塵等が付着しやすく、上述のようにフラスコ用栓は、外周面がフラスコ本体の開口の内周面に密接可能に構成されているため、フラスコの開閉時、フラスコ本体の開口付近に付着した粉塵等が、開口からフラスコ本体内の溶液に混入してコンタミネーションを生じさせることがある。また、フラスコ本体内の溶液を他の容器に移し替える場合においても、溶液はフラスコ用栓が接する開口の内面を通るので、開口付近に付着した粉塵等が、溶液と共に混入してコンタミネーションを生じさせることがある。このため、精密分析などに影響を与えるという問題がある。また、最も粉塵等の付着が影響を及ぼすフラスコ用栓との密接面は、フラスコ本体の内周面にあるので、その構造から十分に洗浄を行うことは困難であるという問題がある。
【０００４】
そこで、本考案は、このような問題を解決するものであって、溶液のコンタミネーションが生じるのを可及的に防止すると共に、フラスコ本体の密接面の洗浄を容易に行うことが可能なフラスコを提供することを目的とする。
【課題を解決するための手段】
【０００５】
本考案に係るフラスコは、フラスコ本体と該フラスコ本体の開口を封止可能なフラスコ用キャップから構成されたフラスコであって、前記フラスコ用キャップは、前記フラスコ本体の開口の外周面に密接可能な内周面を有することを特徴とする。
【０００６】
このように本考案に係るフラスコによれば、フラスコ用キャップは、フラスコ本体の開口の外周面に密接可能な内周面を有しているので、その開口を封止する際に開口付近に付着された粉塵をフラスコ内の溶液に混入させてコンタミネーションを生じさせることを可及的に防止できる。また、フラスコ用キャップは、開口の内面に接することはないので、フラスコ内の溶液を他の容器に移し替える場合においても、開口付近に付着された粉塵を溶液に混入させてコンタミネーションを生じさせることを可及的に防止できる。また、本考案に係るフラスコは、このような形状からフラスコ本体の開口を完全に覆うことができるので、粉塵等がフラスコ本体の開口付近に付着することは少ない。また、上記のようにフラスコ用キャップとの密接面がフラスコ本体の外周面であるため、洗浄を容易に行うことができる。
【考案の効果】
【０００７】
以上のように本考案によれば、溶液のコンタミネーションが生じるのを可及的に防止すると共に、フラスコ本体の密接面の洗浄を容易に行うことが可能なフラスコを提供することが可能となる。
【考案を実施するための最良の形態】
【０００８】
次に、本考案に係るフラスコの実施例について図面に基づいて説明する。
【０００９】
本考案の実施例に係るフラスコは、図１に示すように、主に、溶液を収容するフラスコ本体１０とそのフラスコ本体１０の開口１３に密接した状態で封止可能なフラスコ用キャップ２０から構成されている。このフラスコは、例えば、ガラス等の材料から形成されている。
【００１０】
フラスコ本体１０は、所謂メスフラスコ型であって、その底部に液を溜めるために膨らんだ形状を有する液溜め部１１と、液溜め部１１の中心を軸として筒状に上方に延びるとともに上端に開口１３が形成された頸部１２と、を備えている。
【００１１】
頸部１２には、フラスコ本体１０に入れられる溶液の体積の標線１２ａが刻印されている。
【００１２】
開口１３は、頸部１２の外径よりも大きな外径を有しており、その外周面１３ｂは、その上端に向かって先細りとなるテーパ状に形成されている。開口１３の外周面１３ｂは、摩擦係数が高い、例えば、摺りガラス等により形成されている。
【００１３】
フラスコ用キャップ２０は、その下方に向けて開口された開口２１を有しており、この開口２１の内周面２１ａは、フラスコ本体１０の開口１３の外周面１３ａと密接するように開口２１の端部から上方に向かって先細りとなるテーパ状に形成されている。この内周面２１ａは、摩擦係数が高く、例えば、摺りガラス等により形成されている。また、開口２１の端部には、外周面の全周に亘って径方向に突出した、所謂、フランジ状に形成された突出部２１ｂが形成されている。
【００１４】
上記のように形成された本実施例に係るフラスコによれば、図２及び図３に示すように、フラスコ本体１０の開口１３の外周面１３ａとフラスコ用キャップ２０の開口２１の内周面２１ａが、密接可能であるので、開口１３を封止する際に開口１３付近に付着された粉塵をフラスコ内の溶液に混入させてコンタミネーションが生じさせることはない。また、本実施例に係るフラスコは、フラスコ用キャップ２０によりフラスコ本体１０の開口１３を完全に覆うことができるので、粉塵等がフラスコ本体１０の開口１３付近に付着することはない。また、フラスコ用キャップ２０との密接面がフラスコ本体１０の外周面１３ａであるため、洗浄を容易に行うことができる。さらに、ユーザは突出部２１ｂを把持して、フラスコ本体１０からフラスコ用キャップ２０を容易に取り外すことが可能である。
【００１５】
以上、考案の実施例を説明したが、本考案は上記構成に限定されるものではなく、考案の趣旨を逸脱しない範囲内において種々の変更、追加、置換等が可能である。例えば、本実施例は、一口のメス型のフラスコであったが、三角フラスコ、丸底フラスコ、或いは２口、３口のフラスコ等であってもよい。
【図面の簡単な説明】
【００１６】
【図１】本考案の実施例に係るフラスコの分解正面図である。
【図２】本考案の実施例に係るフラスコの正面図である。
【図３】本考案の実施例に係るフラスコの図２のＡ−Ａ’断面図である。
【符号の説明】
【００１７】
１０…フラスコ本体、１１…液溜め部、１２…頸部、１２ａ…標線、１３…開口、１３ａ…外周面、２０…フラスコ用キャップ、２１…開口、２１ａ…内周面、２１ｂ…突出部。
【図１】
0003118961.tif 000003
【図２】
0003118961.tif 000004
【図３】
0003118961.tif 000005